(57)【特許請求の範囲】
【請求項１】
所定の位置において裏面にステイ溝付きヘッドレスト収納へこみを開口し、そして、フロア側に据え付けられる前反転可能なシート・クッションと、そのシート・クッション側に支持され、そして、そのシート・クッションの前反転状態で前倒しされてそのヘッドレスト収納へこみにヘッドレストを、そのステイ溝にステイをそれぞれはめ込んでそのシート・クッションのその裏面に背裏面を整列させてフラット・フロアにできる前倒し可能なシート・バックとを含み折りたたみシート。
【請求項２】
所定の位置において裏面にヘッドレスト収納へこみを開口し、そして、フロア側に据え付けられる前反転可能なシート・クッションと、背裏面側にステイを寄せてヘッドレストを取り外し可能に取り付けてそのシート・クッション側に前倒し可能に支持され、そして、そのシート・クッションの前反転状態で前倒しされてそのヘッドレスト収納へこみにヘッドレストをはめ込んでそのシート・クッションのその裏面にその背裏面を整列させてフラット・フロアにできる前倒し可能なシート・バックとを含む折りたたみシート。
【請求項３】
所定の位置において裏面にヘッドレスト収納へこみを開口し、そして、フロア側に据え付けられる前反転可能なシート・クッションと、そのシート・クッション側に支持され、そして、そのシート・クッションの前反転状態で前倒しされてそのヘッドレスト収納へこみにヘッドレストをはめ込んでそのシート・クッションのその裏面に背裏面を整列させてフラット・フロアにできる前倒し可能なシート・バックとを含む折りたたみシート。
【請求項４】
フロア側に据え付けられるシート・クッションと、所定の位置において背裏面にステイ溝付きヘッドレスト収納へこみを開口し、そして、そのシート・クッション上にフォール・ダウン可能にされてそのシート・クッション側に支持され、そのシート・クッションの後方に隣接して据え付けられる折りたたみシートの折りたたみ状態でその折りたたみシートのシート・バックのヘッドレストおよびステイをそのヘッドレスト収納へこみおよびステイ溝に対応的にはめ込んでその背裏面にその折りたたみシートのそのシート・バックの背裏面を整列させてフラット・フロアにできる前倒し可能なシート・バックとを含む折りたたみシート。
【請求項５】
フロア側に据え付けられるシート・クッションと、所定の位置において背裏面にヘッドレスト収納へこみを開口し、そして、そのシート・クッション上にフォール・ダウン可能にされてそのシート・クッション側に支持され、そのシート・クッションの後方に隣接して据え付けられる折りたたみシートの折りたたみ状態でその折たたみシートのシート・バックのヘッドレストをそのヘッドレスト収納へこみにはめ込んでその背裏面を整列させてフラット・フロアにできる前倒し可能なシート・バックとを含む折りたたみシート。
【発明の詳細な説明】
【０００１】
【発明の関係する分野】
この発明は、自動車、例えば、乗用車、ワゴン、バン、およびレクリエーショナル・ビークルなどのセカンド・シートおよびサード・シートに有用な折りたたみシートに関する。
【０００２】
【背景技術】
最近のワゴンやレクリエーショナル・ビークルでは、シートがシート・バックを倒してフラットにできてゆったりとくつろげたり、また、車室内に荷重スペースを広く活用可能にする傾向にある。ところが、そのシートはシート・バックを倒す際、ヘッドレストを取り外す必要があった。そのヘッドレストの取外しは面倒であり、また、その取り外されたヘッドレストは置場に困った。
【０００３】
【発明の課題】
この発明の課題は、ヘッドレストを取り外しせずにシート・バックを折りたたみ可能にするところの折りたたみシートの提供にある。
【０００４】
【課題に相応する手段およびそれの作用】
この発明は、所定の位置において裏面にステイ溝付きヘッドレスト収納へこみを開口し、そして、フロア側に据え付けられる前反転可能なシート・クッションと、そのシート・クッション側に支持され、そして、そのシート・クッションの前反転状態で前倒しされてそのヘッドレスト収納へこみにヘッドレストを、そのステイ溝にステイをそれぞれはめ込み可能にする前倒し可能なシート・バックとを含み、そして、そのシート・クッションを前に反転させてからそのヘッドレストを取り外しせずにそのシート・バックを前倒し可能にする。
【０００５】
【具体例の説明】
以下、特定されて図示された具体例に基づいて、この発明の折りたたみシートを説明するに、図１および図２は、ワゴンの左右のセカンド・シートに用いられるところのこの発明の折りたたみシートの具体例１０、２０を示し、そして、その折りたたみシート１０、２０は、それぞれシート・トラック（図示せず）を組み込んでそのワゴンのフロア（図示せず）に前後調整可能に据え付けられる。
【０００６】
その折りたたみシート１０、２０では、前反転可能なシート・クッション１１、２１が、所定の位置において裏面１３、２３にステイ溝付きヘッドレスト収納へ込み１４、１４を開口し、そして、そのシート・トラックの前端にヒンジ結合されてそのシート・トラックでそのフロアに据え付けられ、また、前倒し可能なシート・バック１２、２２が、そのシート・クッション１１、２１の後端側に位置されてリクライニング・デバイス（図示せず）およびフリー・ヒンジ（図示せず）でそのシート・トラックの後端に支持され、そして、そのシート・クッション１１、２１の前反転状態で前倒しされてそのヘッドレスト収納へこみ１４、１４にヘッドレスト１６、１６を、そのステイ溝１５、１５、１５、１５にステイ１７、１７、１７、１７をそれぞれはめ込む。
【０００７】
したがって、その折りたたみシート１０、２０は、図１に示された着座状態で通常に使用され、また、そのシート・バック１２、２２が後に倒されるところのフラット状態（図示せず）で休息に使用され、さらに、図２に示されたように、そのシート・クッション１１、２１が前に反転されてからそのシート・バック１２、２２がそのヘッドレスト１６、１６を付けたままで前に倒すと、そのヘッドレスト１６、１６がそのヘッドレスト収納へこみ１４、１４に、そのステイ１７、１７、１７、１７がそのステイ溝１５、１５、１５、１５にそれぞれはめ込まれ、フラット・フロア状態に置かれて車室内に荷室スペースを広げる。そのように、その折りたたみシート１０、２０は、そのヘッドレスト１６、１６を付けたままそのシート・バック１２、２２を折りたたみ、フラット・フロア状態にできるので、そのヘッドレスト１６、１６をいちいち取り外す煩わしさが省かれ、また、そのヘッドレスト１６、１６を取り外した後の置場に気を使うことも必要でない。
【０００８】
図３および図４は、ヘッドレストの取付け位置を変えてワゴンの左右のセカンド・シートに用いられるところのこの発明の折りたたみシートの具体例３０、４０を示し、そして、その折りたたみシート３０、４０は、それぞれシート・トラック（図示せず）を組み込んでそのワゴンのフロア（図示せず）に前後調整可能に据え付けられる。
【０００９】
その折りたたみシート３０、４０では、前反転可能なシート・クッション１１、２１が、所定の位置において裏面１３、２３にヘッドレスト収納へこみ１４、１４を開口し、そして、そのシート・トラックの前端にヒンジ結合されてそのシート・トラックでそのフロアに据え付けられ、また、前倒し可能なシート・バック３１、４１が、背裏面３２、４２の側にステイ１７、１７、１７、１７を寄せてヘッドレスト１６、１６を取り外し可能に取り付け、そのシート・クッション１１、２１の後端側に位置されてリクライニング・デバイス（図示せず）およびフリー・ヒンジ（図示せず）でそのシート・トラックの後端に支持され、そのシート・クッション１１、２１の前反転状態で前倒しされてそのヘッドレスト収納へこみ１４、１４にそのヘッドレスト１６、１６をはめ込む。
【００１０】
その折りたたみシート３０、４０はその前述された折りたたみシート１０、２０のそのステイ溝１５、１５、１５、１５を省く。
【００１１】
図５および図６は、ヘッドレストがシート・バックにステイを隠して取り付けられるかあるいはヘッドレストがシート・バックに一体化されてワゴンの左右のセカンド・シートに用いられるところのこの発明の折りたたみシートの具体例５０、６０を示し、そして、その折りたたみシート５０、６０は、それぞれシート・トラック（図示せず）を組み込んでそのワゴンのフロア（図示せず）に前後調整可能に据え付けられる。
【００１２】
その折りたたみシート５０、６０では、前反転可能なシート・クッション５１、６１が、所定の位置において裏面５３、６３にヘッドレスト収納へこみ５４、６４を開口し、そして、そのシート・トラックの前端にヒンジ結合されてそのシート・トラックでそのフロアに据え付けられ、また、前倒し可能なシート・バック５２、６２が、そのシート・クッション５１、６１の後端側に位置されてリクライニング・デバイス（図示せず）およびフリー・ヒンジ（図示せず）でそのシート・トラックの後端に支持され、そして、そのシート・クッション５１、６１の前反転状態で前倒しされてそのヘッドレスト収納へこみ５４、６４にヘッドレスト５５、６５をはめ込む。
【００１３】
その折りたたみシート５０、６０はその前述された折りたたみシート１０、２０のそのステイ溝１５、１５、１５、１５を省く。
【００１４】
図７は、シート・バックにヘッドレストを付けたままでそのシート・バックをシート・クッション上にフォール・ダウン可能にするワゴンの左右のセカンド・シートに用いられるところのこの発明の折りたたみシートの具体例７０、８０を示し、そして、その折りたたみシート７０、８０は、それぞれシート・トラック（図示せず）を組み込んでそのワゴンのフロア（図示せず）に前後調整可能に据え付けられる。
【００１５】
その折りたたみシート７０、８０では、シート・クッション７１、８１が、そのシート・トラックでそのフロアに据え付けられ、また、前倒し可能なシート・バック７２、８２が、所定の位置において背裏面７３、８３にステイ溝付きヘッドレスト収納へこみ７４、８４を開口し、そして、そのシート・クッション７１、８１上にフォール・ダウン可能にするようにそのシート・クッション７１、８１の後端側に位置されてリクライニング・デバイス（図示せず）およびフリー・ヒンジ（図示せず）でそのシート・トラックの後端に支持される。
【００１６】
したがって、その折りたたみシート７０、８０が、そのシート・クッション７１、８１上にそのシート・バック７２、８２をフォール・ダウンさせてから左右のサード・シート９０、１００はヘッドレスト９３、９３を付けたままのシート・バック９２、１０２をシート・クッション９１、１０１上にフォール・ダウンさせる。そのヘッドレスト７６、７６はそのシート・バック７２、８２のそのヘッドレスト収納へこみ７４、７４に、ステイ７７、７７、７７、７７はそのシート・バック７２、８２のそのステイ溝７５、７５、７５、７５にそれぞれ収まってその折りたたみシート７０、８０もそのサード・シート９０、１００もそのシート・バック７２、８２および９２、１０２の折りたたみ状態に置かれる。そのように、サード・シート９０、１００はそのヘッドレスト７６、７６を取り外す煩わしさから解放されて折りたたみ操作が簡単になる。また、そのサード・シート９０、１００は、そのヘッドレスト７６、７６がそのシート・バック９２、１０２にそのステイ７７、７７、７７、７７を隠して取り付けられるかあるいはそのヘッドレスト７６、７６がそのシート・バック９２、１０２に一体化される構造であると、その折りたたみシート７０、８０はそのシート・バック７２、８２からそのステイ溝７５、７５、７５、７５を省く。
【００１７】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【００１８】
【発明の便益】
上述から理解されるように、この発明の折りたたみシートは、所定の位置において裏面にステイ溝付きヘッドレスト収納へこみを開口し、そして、フロア側に据え付けられる前反転可能なシート・クッションと、そのシート・クッション側に支持され、そして、そのシート・クッションの前反転状態で前倒しされてそのヘッドレスト収納へこみにヘッドレストを、そのステイ溝にステイをそれぞれはめ込み可能にする前倒し可能なシート・バックとを含むので、この発明の折りたたみシートでは、そのシート・バックがそのヘッドレストを付けたまま折りたたみ可能になり、そして、そのヘッドレストを取り外す煩わしさが省かれ、また、そのヘッドレストを取り外した後の置場に気を使う必要もなくそのシート・バックの折りたたみ操作が非常に簡単になり、その結果、乗用車、ワゴン、バン、およびレクリエーショナル・ビークルなどにとって非常に有用で実用的である。
【図面の簡単な説明】
【図１】ワゴンの左右のセカンド・シートに用いられるところのこの発明の折りたたみシートの具体例を着座状態で示した斜視図である。
【図２】その折りたたみシートをフラット・フロア状態で示した斜視図である。
【図３】ヘッドレストの取付け位置を変えてワゴンの左右のセカンド・シートに用いられるところのこの発明の折りたたみシートの具体例を着座状態で示した斜視図である。
【図４】その折りたたみシートをフラット・フロア状態で示した斜視図である。
【図５】ヘッドレストがシート・バックにステイを隠して取り付けられるかあるいはヘッドレストがシート・バックに一体化されてワゴンの左右のセカンド・シートに用いられるところのこの発明の折りたたみシートの具体例を着座状態で示した斜視図である。
【図６】その折りたたみシートをフラット・フロア状態で示した斜視図である。
【図７】左右のサード・シートがシート・バックにヘッドレストを付けたままでそのシート・バックをシート・クッション上にフォール・ダウン可能にするワゴンの左右のセカンド・シートに用いられるところのこの発明の折りたたみシートの具体例を示した側面図である。
【符号の説明】
１０  折りたたみシート
１１  前反転可能なシート・クッション
１２  前倒し可能なシート・バック
１３  裏面
１４  ヘッドレスト収納へこみ
１５  ステイ溝
１６  ヘッドレスト
１７  ステイ
２０  折りたたみシート
２１  前反転可能なシート・クッション
２２  前倒し可能なシート・バック
２３  裏面
３０  折りたたみシート
３１  前倒し可能なシート・バック
３２  背裏面
４０  折りたたみシート
４１  前倒し可能なシート・バック
４２  背裏面
５０  折りたたみシート
５１  前反転可能なシート・クッション
５２  前倒し可能なシート・バック
５３  裏面
５４  ヘッドレスト収納へこみ
５５  ヘッドレスト
６０  折りたたみシート
６１  前反転可能なシート・クッション
６２  前倒し可能なシート・バック
６３  裏面
６４  ヘッドレスト収納へこみ
６５  ヘッドレスト
７０  折りたたみシート
７１  シート・クッション
７２  前倒し可能なシート・バック
７３  背裏面
７４  ヘッドレスト収納へこみ
７５  ステイ溝
７６  ヘッドレスト
７７  ステイ
８０  折りたたみシート
８１  シート・クッション
８２  前倒し可能なシート・バック
８３  背裏面
【図１】
0004090684.tif 000002
【図２】
0004090684.tif 000003
【図３】
0004090684.tif 000004
【図４】
0004090684.tif 000005
【図５】
0004090684.tif 000006
【図６】
0004090684.tif 000007
【図７】
0004090684.tif 000008